(57)【要約】【課題】利用されなかった天井裏空気にある熱を回収し、熱を必要とする室内に放熱する効率的な空調と天井裏の換気を同時におこなうことができる換気空調装置を提供することを目的とする。【解決手段】圧縮機１６と、第１熱交換器１２と、減圧手段１７と、第２熱交換器４からなる冷凍サイクルと、熱交換器に空気を送る送風装置と、天井裏に開口した天井吸込７を備え、天井裏空気の熱を利用した室内空調と天井裏換気をすることができる。【選択図】図１
2013057419.tif 000002
【特許請求の範囲】
【請求項１】
本体に圧縮機と、第１熱交換器と、減圧手段と、第２熱交換器からなる冷凍サイクルと、熱交換器に空気を送る送風装置と、天井裏に開口した天井吸込と、この天井吸込には吸込んだ空気の方向を切替える風路切替手段と、温度検出手段を設け、天井裏換気利用暖房モードを備えたことを特徴とする換気空調装置。
【請求項２】
天井裏自動換気モードを備えたことを特徴とした請求項１に記載の換気空調装置。
【請求項３】
湿度検出手段を備えたことを特徴とした請求項２に記載の換気空調装置。
【請求項４】
天井裏自動換気モードの有無を選択する自動モード切換手段を設けたことを特徴とした請求項２または請求項３に記載の換気空調装置。
【発明の詳細な説明】
【技術分野】
【０００１】
本発明は、ヒートポンプを利用して浴室などの換気空調を行う換気空調装置の天井裏空間換気に関するものである。
【背景技術】
【０００２】
従来提案されている天井裏空間の換気装置としては、送風機を内設して家屋などの天井裏に配設され、室内側に開口を有した箱体よりなる外筐と、この外筐の側壁に設けられた天井内吸込口および吐出口と、上記開口を室内側より覆うパネルとを備え、このパネルには前記外筐内をパネルの上下移動にて摺動するスライド板を突設し、このスライド板にはパネルが前記開口と重さなり合うときに前記天井内吸込口と連通される連通穴を設けた構成の換気扇で、前記パネルが下がることにより天井内吸込口がスライド板にて封止され、パネルの連通穴より室内空気が吸込まれ、吐出口より排気されることで室内換気をおこない、また、パネルが上がることで、天井内吸込口と連通穴が重なり合い天井裏空間と連通されることで、天井裏の空気が天井内吸込口より吸込まれ吐出口より排気されることで天井裏換気をおこなうものがある（例えば、特許文献１参照）。
【０００３】
また、別の天井裏空間の換気装置としては、住戸内で浴室と浴室以外の２室からそれぞれ空気を吸引して屋外へと排気するための共通のファンを含む換気手段と、前記浴室内に暖気を送給する暖房手段とを具備する多室換気型の浴室換気暖房乾燥装置において、浴室を含む３室以外の住戸内の空間（その部屋の空間自体はそれほど換気を要しないような場所に設ける。具体的には、リビングルームを含む居室、廊下、玄関等の居住空間のみならず、ウォーキングクローゼット等を含む納戸や、天井裏等の非居住空間）に開口する補助吸気口と、この補助吸気口と前記換気手段のファンとを連結する補助吸気ダクトと、前記補助吸気口からの吸気量を調節するための補助換気手段と、前記換気手段にあって浴室からの吸気を遮断又はその吸気風量を制限する浴室吸気調節手段とを備え、暖房手段が作動する際には浴室からの吸気を停止又は吸気風量を減少させるように前記浴室吸気調節手段を制御することから、浴室からの吸気に依らずとも、浴室以外の２室、及び補助吸気口（天井裏空間）からの吸気を行い、共通の排気ダクトから屋外へと排気を行うようにしたものがある（例えば、特許文献２参照）。
【先行技術文献】
【特許文献】
【０００４】
【特許文献１】特開平４−６８２４５号公報
【特許文献２】特開２００５−２４１１６０号公報
【発明の概要】
【発明が解決しようとする課題】
【０００５】
このように天井裏空間を換気する装置は様々なものが提案されているが、特許文献１に例示される換気扇や特許文献２に例示される浴室換気暖房乾燥装置はいずれも天井裏空間で暖められた空気をそのまま屋外に排気するため、天井裏空間に溜まった熱気や湿気の放出することはできるが、同時に天井裏空間に溜まった熱エネルギーを捨てていたという課題があった。
【０００６】
そこで本発明は、上記課題を解決するものであり、そのまま捨てられていた天井裏空気にある熱を回収し、その熱を必要とする室内に投入することで熱を再利用し、効率的な空調と天井裏の換気を同時におこなうことができる換気空調装置を提供することを目的とする。
【課題を解決するための手段】
【０００７】
そしてこの目的を達成するために、本発明の換気空調装置は、本体に圧縮機と、第１熱交換器と、減圧手段と、第２熱交換器からなる冷凍サイクルと、熱交換器に空気を送る送風装置と、天井裏に開口した天井吸込と、この天井吸込には吸込んだ空気の方向を切替える風路切替手段と、温度検出手段を設け、天井裏換気利用暖房モードを備えたことを特徴としたものであり、これにより所期の目的を達成するものである。
【発明の効果】
【０００８】
本発明の換気空調装置によれば、本体に圧縮機と、第１熱交換器と、減圧手段と、第２熱交換器からなる冷凍サイクルと、熱交換器に空気を送る送風装置と、天井裏に開口した天井吸込と、この天井吸込には吸込んだ空気の方向を切替える風路切替手段と、温度検出手段を設け、天井裏換気利用暖房モードを備え、天井裏に溜まった熱気、湿気を含む空気を屋外に換気すると共に、その空気より回収した熱を利用した空調をおこなうことで、省エネルギーな空調と天井裏換気を同時にすることができ、夏季など熱せられた天井裏空気を換気する事により天井裏空間を冷まし、建物の劣化を抑制すると共に居住空間の冷房空調効率を良くすることができるという効果を得ることができる。
【図面の簡単な説明】
【０００９】
【図１】本発明の実施の形態２記載の換気空調装置の暖房運転風路の構成を示す概略断面図
【図２】同、換気空調装置の設置状況を示す概略断面図
【図３】同、換気空調装置の乾燥運転風路の構成を示す概略断面図
【図４】同、制御手段との電気接続を示す概略構成図
【図５】同、操作部の構成を示す概略図
【図６】同、風路切換手段および開閉手段のの閉状態を示す概略断面図
【図７】同、換気空調装置の直接天井裏換気しながら暖房運転する風路の構成を示す概略断面図
【図８】同、換気空調装置の天井裏換気運転風路の構成を示す概略断面図
【発明を実施するための形態】
【００１０】
本発明の請求項１記載の発明は、本体に圧縮機と、第１熱交換器と、減圧手段と、第２熱交換器からなる冷凍サイクルと、熱交換器に空気を送る送風装置と、天井裏に開口した天井吸込と、この天井吸込には吸込んだ空気の方向を切替える風路切替手段と、温度検出手段を設け、天井裏換気利用暖房モードを備えたことを特徴とする換気空調装置であって、天井裏空間より吸込んだ空気は第２熱交換器にて熱を回収された後、屋外に排気され、その回収した熱は第１熱交換器により室内空間への空調熱として放熱することで室内空間を空調しつつ、天井裏空気を換気するので、天井裏に溜まった熱気、湿気を含む空気を屋外に排気すると共に、その空気より回収した熱を利用した空調をおこなうことで、省エネルギーな空調と天井裏換気を同時にすることができると共に、風路切替手段により天井吸込より吸込んだ天井裏空気を第２熱交換器方向に流すか、換気方向に流すかを切替え、熱回収量の調整ができ、室内の空調に天井裏の熱が不要となったときには、換気方向に切替えることで、冷凍サイクルが過負荷となることを避けて適切な空調能力にて運転をしつつ、天井裏換気をすることができるため、夏季など熱せられた天井裏空気を換気する事により天井裏空間を冷まし、建物の劣化を抑制すると共に居住空間の冷房空調効率を良くすることができるという効果を奏する。
【００１１】
また、天井裏自動換気モードを備えた構成としてもよい。
【００１２】
これにより、温度検出手段により得られた温度が予め定めた所定の温度を超えたとき自動的に天井裏空気の換気をすることができ、室内空調が不要な場合でも天井裏の空気を換気することで、天井裏空間が高温になることを事前に抑制することができるという効果を奏する。
【００１３】
また、湿度検出手段を設け、天井裏自動換気モードを備えた構成としてもよい。
【００１４】
これにより、予め定めた所定の湿度を超えたとき自動的に天井裏空気の換気をすることができ、天井裏空間が高湿度になることを事前に抑制することができるという効果を奏する。
【００１５】
また、天井裏自動換気モードの有無を選択する自動モード切換手段を設けた構成としてもよい。
【００１６】
これにより、使用者が自動モード切換手段により天井裏自動換気モードの有無を選択することができ、長期休暇などで長期間不在にするときや電気代の節約など天井裏換気の実施を使用者が選択できるという効果を奏する。
【００１７】
以下、本発明の実施の形態について図面を参照しながら説明する。
【００１８】
（実施の形態１）
本発明の実施の形態１の換気空調装置を図１から図８を参照しながら説明する。
【００１９】
図１は本発明の換気空調装置の一例で暖房運転状態の構成を示し、図２は本発明の換気空調装置の設置状況を示すものであり、図３は乾燥運転状態の構成を示し、図４は制御手段の電気接続状態を示すものであり、図５は操作部の構成を示すものであり、図６は風路切換手段および開閉手段の開閉方向（閉状態）を示すものであり、図７は直接天井裏換気しながら暖房運転をした状態の構成を示したものであり、図８は天井裏換気運転状態の構成を示したものである。
【００２０】
図１および図２に示すように、換気空調装置１には室内２（例えば浴室）に開口した吸込口３と、通過させる空気を冷却させる第２熱交換器４と、屋外に空気を排出する換気口５と、天井裏空間６に開口した天井吸込７と、他室２０空間と連通する第１ダクト接続部２１を有した他室口２２と、第２ダクト接続部２３を有した天井吸込７と、この天井吸込７から吸込む空気の方向を切替える風路切替手段２４とを有し、この風路切替手段２４の開閉角度によって、換気風路１１の換気口５側を閉塞し、天井吸込７から吸込まれた空気が第２熱交換器４を通り換気口５へと通り抜ける位置と、換気風路１１の第２熱交換器４側を閉塞し、天井吸込７から吸込まれた空気が直接換気口５へと通り抜ける位置と、天井吸込７と換気空調装置１内部との連通を遮断する位置とに切替えられる構成とし、前記他室口２２および、天井吸込７から第２熱交換器４を介して空気を吸い込み換気口５へ送風する換気送風装置１０とを配置した換気風路１１を備えている。
【００２１】
図１において風路切替手段２４は、換気風路１１の換気口５側を閉塞し、天井吸込７から吸込まれた空気が第２熱交換器４を通り換気口５へと通り抜ける位置を示している。
【００２２】
また、吸込口３と、通過させる空気を加熱する第１熱交換器１２と、室内２空間に開口し空気を吹き出す吹出口１３と、吸込口３から第１熱交換器１２を介して空気を吸い込み、前記吹出口１３へ送風する空調送風装置１４とを配置した空調風路１５を備えている。
【００２３】
また、冷媒を圧縮する圧縮機１６と、空調送風装置１４により送風される空気と冷媒を熱交換させる第１熱交換器１２と、冷媒を膨張させる減圧手段１７と、換気送風装置１０により送風される空気と冷媒を熱交換させる第２熱交換器４とをつなぎ冷媒を通す冷凍配管１８にて冷凍サイクルを形成する。
【００２４】
また、前記第２ダクト接続部２３にはダクト２５が接続され、天井裏空間６の高い位置にフィルタ（図示せず）を設けたダクト吸込部２６を設け、同様に第１ダクト接続部２１にもダクト２５が接続され、他室２０（例えばトイレ）に開口した他室吸込部２７を設けている。
【００２５】
そして、天井吸込７には天井裏空間６の温度を検出する温度検出手段２８と、天井裏空間６の湿度を検出する湿度検出手段２９を設けている。
【００２６】
また、前記他室口２２には他室２０側と換気空調装置１内部との連通を開閉する第２開閉手段３０を設ける。
【００２７】
また、換気風路１１には前記換気口５側に屋外側と換気空調装置１内部との連通を遮断する第３開閉手段３１と、室内２の空気を前記第２熱交換器４へ直接連通させる風路３２を開閉する第４開閉手段３３を設けている。
【００２８】
また、空調風路１５の吹出口１３には、室内２側と換気空調装置１内部との連通を遮断する第５開閉手段３４を設けている。
【００２９】
また、吸込口３において室内２側と換気空調装置１内部との連通を遮断し、第１熱交換器１２と第２熱交換器４との間を連通させる第６開閉手段３５を設ける。
【００３０】
そして、この第６開閉手段３５の切替えにより、換気空調装置１の内部に第４開閉手段３３から第２熱交換器４、第６開閉手段３５、第１熱交換器１２、空調送風装置１４、吹出口１３までの除湿風路を形成する（図３参照）。
【００３１】
また、複数の空調モードから使用者が選択するスイッチと、動作モードを示す表示部を有した操作部３６を備える。
【００３２】
図５においては、操作部３６の一例を示し、例えば暖房空調スイッチ３７、乾燥空調スイッチ３８、天井裏換気スイッチ３９と暖房モードを示す暖房表示部４０、乾燥モードを示す乾燥表示部４１、天井裏換気モードを示す天井裏換気表示部４２、天井裏自動換気モードを示す自動表示部４３を備えた構成とする。
【００３３】
そして、風路を避けた位置に圧縮機１６と、空調送風装置１４、換気送風装置１０、風路切替手段２４、第２開閉手段３０、第３開閉手段３１、第４開閉手段３３、第５開閉手段３４、第６開閉手段３５、温度検出手段２８、湿度検出手段２９、および、操作部３６を制御する制御手段１９を有した構成とする。
【００３４】
図４に示すように、制御手段１９は、圧縮機１６と、空調送風装置１４、換気送風装置１０、風路切替手段２４、第２開閉手段３０、第３開閉手段３１、第４開閉手段３３、第５開閉手段３４、第６開閉手段３５、温度検出手段２８、湿度検出手段２９、および、操作部３６と電気的に接続された構成とする。
【００３５】
図６にて、第２開閉手段３０、第３開閉手段３１、第４開閉手段３３、第５開閉手段３４、第６開閉手段３５および、風路切替手段２４それぞれの開閉方向として閉塞状態を示す。
【００３６】
つまり、第２開閉手段３０、第３開閉手段３１、第４開閉手段３３、第５開閉手段３４、第６開閉手段３５、および、風路切替手段２４のすべてが閉塞している場合には、換気空調装置１内部は、室内２、天井裏空間６、他室２０、および屋外に対して遮断された状態となる。
【００３７】
上記構成において、図１に示すように、室内２を暖房空調する場合は、操作部３６にて暖房空調スイッチ３７を押すことで、暖房表示部４０が点灯し、運転モードを使用者に伝えると共に操作部３６より制御手段１９に暖房運転モードであることを電気信号で搬送する。
【００３８】
暖房運転モード信号を受信した制御手段１９は、第２開閉手段３０を開放、第３開閉手段３１も開放、第４開閉手段３３は閉塞、第５開閉手段３４は開放、第６開閉手段３５は室内２空間と空調風路１５とを連通し、室内２空間と換気風路１１を遮断する位置とし、風路切替手段２４を換気風路１１の換気口５側を閉塞し、天井吸込７から吸込まれた空気が第２熱交換器４を通り換気口５へと通り抜ける位置の状態とし、圧縮機１６と空調送風装置１４と換気送風装置１０を作動することで、圧縮機１６により高温高圧化された冷媒は冷凍配管１８を通り、空調送風装置１４により室内２から吸込まれた空気に熱を放熱し、減圧手段１７へと移動し減圧され、低温低圧となり第２熱交換器４へと移動し、換気送風装置１０により他室２０と天井裏空間６から吸込まれた空気の熱を吸収し、圧縮機１６へと戻る。
【００３９】
このように第２熱交換器４において、他室２０と天井裏空間６から吸い込まれ屋外に排出する空気から冷媒が吸熱し、第１熱交換器１２において、室内２空間を循環する空気に冷媒が放熱することによって室内２空間を暖房することとなる。
【００４０】
また、図３に示すように、室内２の乾燥空調をするときは、操作部３６にて乾燥空調スイッチ３８を押すことで、乾燥表示部４１が点灯し運転モードを使用者に伝えると共に、操作部３６より制御手段１９に乾燥運転モードであることを電気信号で搬送する。
【００４１】
乾燥運転モード信号を受信した制御手段１９は、第２開閉手段３０を閉塞、第３開閉手段３１も閉塞、第４開閉手段３３は開放、第５開閉手段３４は開放、第６開閉手段３５は室内２空間と換気空調装置１内部との連通を遮断し、第１熱交換器１２と第２熱交換器４とを連通する位置、つまりは空調風路１５と換気風路１１を連通する位置とし、風路切替手段２４は天井吸込７と換気空調装置１内部との連通を遮断する位置の状態とし、圧縮機１６と空調送風装置１４が作動することで、冷媒が冷凍配管１８を通り熱交換を始め、各開閉手段の開閉状態により構成された除湿風路により、第４開閉手段３３が室内２に開口したことで室内２空気を吸込み、吸い込まれた空気は、風路３２を通過して、第２熱交換器４にて冷媒が吸熱するため、吸込まれた空気は冷やされることで露点温度を下回り、第２熱交換器４に結露を発生させ、保有水分量を減少させつつ、第６開閉手段３５にて構成された風路を通り、空気は第１熱交換器１２へと送られ、第１熱交換器１２により冷媒が放熱するので、送られた空気は再度冷媒による熱交換熱と圧縮機１６の消費電力分の熱量を加えて暖められ吹出口１３より室内２へと送風されることによって室内２空間を乾燥することとなり、ヒートポンプを利用したため、風路の切替えによって空調モードを切替えることが可能である。
【００４２】
このように、天井裏空間６より吸込んだ空気は第２熱交換器４にて熱を回収された後、屋外に排気され、その回収した熱は第１熱交換器１２により室内２への空調熱として放熱することで室内２を暖房空調しつつ、天井裏空間６の空気を換気するので、天井裏空間６に溜まった熱気、湿気を含む空気を屋外に排気すると共に、その空気より回収した熱を利用した空調をおこなうことで、省エネルギーな空調と天井裏換気を同時にすることができ、夏季など熱せられた天井裏空間６の空気を換気する事により天井裏空間６を冷まし、建物の劣化を抑制すると共に居住空間の冷房空調効率を良くすることができる。
【００４３】
また、天井吸込７に第２ダクト接続部２３を設け、ダクト２５にて延長した先にダクト吸込部２６を設けたことにより、天井裏空間６上部に滞留した熱と共に空気を吸込み、効率良く短時間で天井裏空間６の熱を回収、換気することができる。
【００４４】
また、天井裏空間６の換気は換気空調装置１に備えた換気送風装置１０で実施できるため天井裏換気扇を新たに加える必要がない。
【００４５】
また、ダクト吸込部２６にフィルタ９を設けたので、天井裏空間６に発生した埃や生物が換気空調装置１へ侵入することを防止することができ、埃による第２熱交換器４の目詰まりを低減すると共に、生物侵入による不慮な装置トラブルを未然に防ぐことができる。
【００４６】
また、図７に示すように、暖房空調中に風路切替手段２４を換気風路１１の第２熱交換器４側を閉塞し、天井吸込７から吸込まれた空気が直接換気口５へと通り抜ける位置に切替える事で他室２０からの空気より熱を回収し、室内２空間に熱を放熱する暖房空調と共に天井裏空間６の空気を直接換気することができる。
【００４７】
このように風路切替手段２４により天井裏空間６の空気を第２熱交換器４方向に流すか、換気方向に流すかを切替え、天井裏空間６からの熱回収量の調整をすることができ、天井裏空間６が冷えていて熱の回収に適していないときや、高温になりすぎて冷凍サイクル負荷が過負荷となってしまうときなど、室内２の空調に天井裏空間６の熱が不要となったときには、換気方向に切替えることで適切な空調能力にて運転をしつつ、天井裏換気に切り換える天井裏換気利用暖房モードを備えている。
【００４８】
また、この風路切替手段２４の切替に温度検出手段２８の検出値を用いてもよい。
【００４９】
また、図８に示すように、天井裏換気のみを実施する場合は、操作部３６にて天井裏換気スイッチ３９を押すことで、天井裏換気表示部４２が点灯し、運転モードを使用者に伝えると共に操作部３６より制御手段１９に天井裏換気モードであることを電気信号で搬送する。
【００５０】
天井裏換気モード信号を受信した制御手段１９は、第２開閉手段３０を閉塞、第３開閉手段３１は開放、第４開閉手段３３は閉塞、第５開閉手段３４は閉塞、第６開閉手段３５は室内２空間と換気空調装置１内部との連通を遮断し、第１熱交換器１２と第２熱交換器４とを連通する位置とし、風路切替手段２４は換気風路１１の第２熱交換器４側を閉塞し、天井吸込７から吸込まれた空気が直接換気口５へと通り抜ける位置の状態とし、換気送風装置１０を駆動させることで、天井裏空間６の空気はダクト吸込部２６より吸われ、天井吸込７より換気空調装置１に入り、風路切替手段２４により換気口５方向へと導かれ屋外へと排気される。
【００５１】
このように、天井裏換気モードを備えたことで天井裏空間６の換気だけを実施することができ、室内２空調が不要な場合でも天井裏の空気を換気することで、天井裏に溜まった空気の換気をすることができる。
【００５２】
また、この天井裏換気モード中に第４開閉手段３３を開放し室内２空間を同時に換気しても、第２開閉手段３０を開放し、他室２０空間を同時に換気してもよい。
【００５３】
また、この天井裏空間６の換気を自動的に制御する天井裏自動換気モードとすることもでき、天井裏換気モードで運転しているとき、操作部３６にて再度天井裏換気スイッチ３９を押すことで、自動表示部４３が点灯し、運転モードを使用者に伝えると共に操作部３６より制御手段１９に天井裏自動換気モードであることを電気信号で搬送する。
【００５４】
天井裏自動換気モード信号を受信した制御手段１９は、温度検出手段２８と湿度検出手段２９の２つより、天井裏換気運転の実行有無を判断し自動的に運転、停止を行う。
【００５５】
ひとつめの温度検出手段２８による天井裏自動換気モードは、予め定めた所定の温度（例えば４０℃）を超えたときに自動的に天井裏換気運転を開始し、天井裏空間が高温になることを事前に抑制することができる。
【００５６】
ふたつめの湿度検出手段２９による天井裏自動換気モードは、予め定めた所定の湿度（例えば７０％ＲＨ）を超えたとき自動的に天井裏換気運転を開始し、天井裏空間が高湿度になることを事前に抑制することができる。
【００５７】
この２つの検出手段による天井裏自動換気モードは、温度検出手段２８と湿度検出手段２９それぞれ単独に動作するものであり、いずれか１つの検出手段のみ搭載し制御してもよい。
【００５８】
また、天井裏自動換気モード中に操作部３６にて再度天井裏換気スイッチ３９を押すことで、天井裏換気表示部４２および自動表示部４３が消灯し、換気空調装置１は停止する。
【００５９】
このように、操作部３６の天井裏換気スイッチ３９を自動モード切換手段として用いたことにより、天井裏自動換気モードを使用者が選択できるようになり、長期休暇などで長期間不在にするときや電気代の節約など天井裏換気の実施を使用者が選択できる。
【００６０】
また、第１熱交換器１２と第２熱交換器４は冷媒と空気との間で熱交換できれば良く、例えば、縦横に配列した配管とフィンを用いた構成で、材料は熱伝導の良い銅やアルミニウムを主原料としたものがある。
【００６１】
また、第１開閉手段８は風路の開閉状態を可変できれば良く、例えば駆動源にステッピングモータを用いたものがある。
【００６２】
また、減圧手段１７は冷媒を膨張（減圧）できれば良く、配管を細くして一定の減圧を実施するキャピラリーチューブや、減圧量を可変することができる膨張弁、更に電子制御を実現する電動膨張弁などがある。
【００６３】
また、圧縮機１６は冷媒を圧縮し、高温高圧ガスとして冷媒配管へ冷媒を送り出せればよく、駆動源となるモータは交流電圧を印加する誘導電動機を用いても、インバータ駆動方式のＤＣモータを用いてもよい。
【００６４】
また、温度検出手段２８は温度の検知ができれば良く、例えば、正特性サーミスタ、負特性のサーミスタがある。
【００６５】
また、湿度検出手段２９は湿度の検知ができれば良く、例えば、高分子膜の水分の吸収・放出に伴う誘電率変化から雰囲気の相対湿度を検出する高分子膜湿度センサや、水蒸気の吸着しやすい多孔質セラミックを用いて、乾湿材がセラミック焼結体で構成されたセラミック湿度センサや、塩化リチウムを利用した電解質湿度センサなどがある。
【００６６】
また、第２開閉手段３０、第３開閉手段３１、第４開閉手段３３、第５開閉手段３４、第６開閉手段３５、および、風路切替手段２４は、風路の開閉状態を可変できれば良く、例えば駆動源にステッピングモータを用いたものがある。
【産業上の利用可能性】
【００６７】
本発明の換気空調装置は、天井裏の不要な熱を利用して、別の空間の暖房をすると共に天井裏を換気することが特徴であり、調理コンロから発する煙や熱を排気するレンジフードにおいて、排気熱を利用してキッチン空間の暖房などにも利用することができる。
【符号の説明】
【００６８】
１    換気空調装置
２    室内
３    吸込口
４    第２熱交換器
５    換気口
６    天井裏空間
７    天井吸込
１０  換気送風装置
１１  換気風路
１２  第１熱交換器
１３  吹出口
１４  空調送風装置
１５  空調風路
１６  圧縮機
１７  減圧手段
１８  冷凍配管
１９  制御手段
２０  他室
２１  第１ダクト接続部
２２  他室口
２３  第２ダクト接続部
２４  風路切替手段
２５  ダクト
２６  ダクト吸込部
２７  他室吸込部
２８  温度検出手段
２９  湿度検出手段
３０  第２開閉手段
３１  第３開閉手段
３２  風路
３３  第４開閉手段
３４  第５開閉手段
３５  第６開閉手段
３６  操作部
３７  暖房空調スイッチ
３８  乾燥空調スイッチ
３９  天井裏換気スイッチ
４０  暖房表示部
４１  乾燥表示部
４２  天井裏換気表示部
４３  自動表示部
【図１】
2013057419.tif 000003
【図２】
2013057419.tif 000004
【図３】
2013057419.tif 000005
【図４】
2013057419.tif 000006
【図５】
2013057419.tif 000007
【図６】
2013057419.tif 000008
【図７】
2013057419.tif 000009
【図８】
2013057419.tif 000010